(57)【要約】【課題】給水タンクの容量を増大させる。【解決手段】  加湿機は、給水タンク２が加湿機本体３に対して着脱可能に構成されている。給水タンク２には爪部２５が設けられており、加湿機本体３には、給水タンク２が取り付けられたときに爪部２５を係止する係止孔４３と、係止孔４３に対する爪部２５の係止状態を解除する解除部材５とが設けられている。【選択図】図７
2013096585.tif 000002
【特許請求の範囲】
【請求項１】
給水タンクが加湿機本体に対して着脱可能に構成された加湿機であって、
前記給水タンクに設けられた爪部と、
前記加湿機本体に設けられ、前記給水タンクが取り付けられたときに前記爪部を係止する係止部と、
前記加湿機本体に設けられ、前記係止部に対する前記爪部の係止状態を解除する解除部材とを有することを特徴とする加湿機。
【請求項２】
前記解除部材は、
前記加湿機本体に回転自在に支持されており、その一端が操作されることにより、他端が前記係止部に係止された前記爪部を押圧して、前記係止部に対する前記爪部の係止状態を解除することを特徴とする請求項１に記載の加湿機。
【請求項３】
前記爪部が、前記給水タンクの上端部に設けられており、
前記解除部材は、前記爪部を下方に押圧することにより前記係止部に対する前記爪部の係止状態を解除することを特徴とする請求項２に記載の加湿機。
【請求項４】
前記爪部と前記係止部の接触する面が、前記給水タンクの取り外し方向に対して直交していることを特徴とする請求項２または３に記載の加湿機。
【請求項５】
前記給水タンクが、加湿機の外郭の一部を構成するパネルを有することを特徴とする請求項１〜４のいずれかに記載の加湿機。
【請求項６】
前記爪部と前記パネルとが一体に形成されていることを特徴とする請求項５に記載の加湿機。
【発明の詳細な説明】
【技術分野】
【０００１】
本発明は、給水タンクが着脱可能に構成された加湿機に関する。
【背景技術】
【０００２】
従来から加湿機として、給水タンクが着脱可能に構成されたものがある（例えば特許文献１参照）。また、図１１に示す従来の加湿機９１では、給水タンク９２に、ロック爪９４と操作片９５が一体化された部材が設けられており、加湿機本体９３には、ロック爪９４が係止される係止孔が形成されている。ロック爪９４と操作片９５とが一体化された部材は、ロック爪９４と操作片９５との中間部を支点に揺動可能となっており、操作片９５の上側部分を押し込むことによって、ロック爪９４が下側に回動して、ロック爪９４の係止孔に対する係止状態が解除されるようになっている。また、操作片９５から手を離すと、支点部分に設けられたバネの弾性復元力によって、ロック爪９４が係止孔に係止されるようになっている。
【先行技術文献】
【特許文献】
【０００３】
【特許文献１】特許３２８４２６７号公報
【発明の概要】
【発明が解決しようとする課題】
【０００４】
しかしながら、操作片９５がロック爪９４と一体化されているため、給水タンク９２のタンク本体９６に、ロック爪９４と操作片９５とが一体化された部材の設置スペースを空けるように凹部９６ａを形成する必要があり、給水タンク９２の容量が小さくなる。
また、操作片９５の操作によってロック爪９４の係止状態を解除する解除部材が給水タンクに設けられているため、給水タンクを加湿機本体から取り外して給水作業を行う際などに、解除部材に物がぶつかって破損する場合がある。
【０００５】
そこで、本発明の目的は、給水タンクの容量を増大させることができる加湿機を提供することである。
【課題を解決するための手段】
【０００６】
上記課題を解決するために、第１の発明に係る加湿機は、給水タンクが加湿機本体に対して着脱可能に構成された加湿機であって、前記給水タンクに設けられた爪部と、前記加湿機本体に設けられ、前記給水タンクが取り付けられたときに前記爪部を係止する係止部と、前記加湿機本体に設けられ、前記係止部に対する前記爪部の係止状態を解除する解除部材とを有することを特徴とする。
【０００７】
この加湿機では、爪部と解除部材とが別体であって、爪部が給水タンクに、解除部材が加湿機本体に設けられているため、給水タンクが収容される空間に解除部材を配置する必要がない。したがって、給水タンクに解除部材を収容するための凹部を設けなくてよいため、給水タンクの容量を増大させることができる。
また、解除部材は、加湿機本体の給水タンクが収容される空間に配置されるため、破損のリスクが少ない。
また、爪部と解除部材とが別体であるため、爪部を係止状態で維持するためのバネ部材が不要となるため、給水タンクを加湿機本体から取り外した状態において、バネ部材が脱落して破損するのを防止できる。
【０００８】
第２の発明に係る加湿機は、第１の発明において、前記解除部材は、前記加湿機本体に回転自在に支持されており、その一端が操作されることにより、他端が前記係止部に係止された前記爪部を押圧して、前記係止部に対する前記爪部の係止状態を解除することを特徴とする。
【０００９】
この加湿機では、解除部材の構成が簡易であり、低コストで作製できる。
【００１０】
第３の発明に係る加湿機は、第２の発明において、前記爪部が、前記給水タンクの上端部に設けられており、前記解除部材は、前記爪部を下方に押圧することにより前記係止部に対する前記爪部の係止状態を解除することを特徴とする。
【００１１】
この加湿機では、給水タンクが、上端部に設けられた爪部と下端部に設けられた給水口とによって加湿機本体に取り付けられるため、安定的に給水タンクを取り付けることができる。
【００１２】
第４の発明に係る加湿機は、第２または第３の発明において、前記爪部と前記係止部の接触する面が、前記給水タンクの取り外し方向に対して直交していることを特徴とする。
【００１３】
この加湿機では、爪部と係止部とを強固に係止することができるため、給水タンクが誤って取り外されるのを防止できる。
【００１４】
第５の発明に係る加湿機は、第１〜第４のいずれかの発明において、前記給水タンクが、加湿機の外郭の一部を構成するパネルを有することを特徴とする。
【００１５】
この加湿機では、給水タンクのタンク本体がパネルで覆われるため見栄えが良い。
【００１６】
第６の発明に係る加湿機は、第５の発明において、前記爪部と前記パネルとが一体に形成されていることを特徴とする。
【００１７】
この加湿機では、爪部とパネルとの間で位置ずれが生じないため、パネルと加湿機本体の外郭部分との間で位置ずれが生じにくい。
【発明の効果】
【００１８】
以上の説明に述べたように、本発明によれば、以下の効果が得られる。
【００１９】
第１の発明では、爪部と解除部材とが別体であって、爪部が給水タンクに、解除部材が加湿機本体に設けられているため、給水タンクが収容される空間に解除部材を配置する必要がない。したがって、給水タンクに解除部材を収容するための凹部を設けなくてよいため、給水タンクの容量を増大させることができる。
また、解除部材は、加湿機本体の給水タンクが収容される空間に配置されるため、破損のリスクが少ない。
また、爪部と解除部材とが別体であるため、爪部を係止状態で維持するためのバネ部材が不要となるため、給水タンクを加湿機本体から取り外した状態において、バネ部材が脱落して破損するのを防止できる。
【００２０】
第２の発明では、解除部材の構成が簡易であり、低コストで作製できる。
【００２１】
第３の発明では、給水タンクが、上端部に設けられた爪部と下端部に設けられた給水口とによって加湿機本体に取り付けられるため、安定的に給水タンクを取り付けることができる。
【００２２】
第４の発明では、爪部と係止部とを強固に係止することができるため、給水タンクが誤って取り外されるのを防止できる。
【００２３】
第５の発明では、給水タンクのタンク本体がパネルで覆われるため見栄えが良い。
【００２４】
第６の発明では、爪部とパネルとの間で位置ずれが生じないため、パネルと加湿機本体の外郭部分との間で位置ずれが生じにくい。
【図面の簡単な説明】
【００２５】
【図１】本発明の実施形態に係る加湿機の斜視図である。
【図２】給水タンクの着脱時を示す斜視図である。
【図３】給水タンクの着脱時を示す背面図である。
【図４】図１の加湿機本体から前面のパネルを取り外したときの斜視図である。
【図５】図４の状態から空気清浄フィルタユニットを取り外したときの斜視図である。
【図６】図５の状態から加湿ロータとトレーを取り外したときの斜視図である。
【図７】図１の加湿機の右側面付近の断面図である。
【図８】図７の部分拡大図である。
【図９】解除部材によって係止部と爪部との係止状態が解除された状態を示す図である。
【図１０】係止部に対して爪部が係止されていない状態を示す図である。
【図１１】従来の加湿機の斜視図である。
【発明を実施するための形態】
【００２６】
以下、本発明の実施形態に係る加湿機１ついて説明する。
図１および図２に示すように、本実施形態の加湿機１は、本体（加湿機本体）３と、本体３に対して着脱可能に構成された給水タンク２とからなる。本体３は、空気清浄フィルタユニット６（図４参照）、加湿ロータ７（図５参照）、トレー８（図５参照）、および送風機９（図６参照）を備えている。加湿機１は、加湿運転時に送風機９と加湿ロータ７を回転させる。
なお、以下の説明における上下、左右および前後方向は、図１中の上下、左右および前後方向である。
【００２７】
図１に示すように、本体３の左右側面には吸込口３ａが形成されており、本体３の天面の後側部分には、開閉式の蓋が設けられた吹出口３ｂが形成されている。本体３の内部には、送風機９によって発生する空気流を吸込口３ａから吹出口３ｂに導くための流路が形成されている。この流路に上流側から順に、空気清浄フィルタユニット６、加湿ロータ７、送風機９が配置されている。
【００２８】
送風機９を駆動することにより、吸込口３ａから空気が吸い込まれて、この吸い込まれた空気は、空気清浄フィルタユニット６を通過して清浄化された後、加湿ロータ７の加湿フィルタ７１を通過して加湿され、その後、吹出口３ｂから排出される。なお、加湿フィルタ７１には、空気清浄フィルタユニット６を通過した空気が全て通過するわけではなく、空気清浄フィルタユニット６を通過した空気の一部だけが加湿フィルタ７１を通過する。
【００２９】
図４に示すように空気清浄フィルタユニット６は、本体３の前側部分に配置されている。空気清浄フィルタユニット６は、これを通過する空気中の塵埃や臭気成分を除去する。
【００３０】
図５に示すように、トレー８は本体３の下側部分に配置されている。トレー８の右側面と後面の一部は、加湿機１の外郭の一部を構成する。トレー８は、仕切り壁８３によって仕切られたタンク受け容器８１と貯水容器８２とを有する。仕切り壁８３には、貯水容器８２とタンク受け容器８１とを連通させる連通孔（図示省略）が形成されている。
【００３１】
タンク受け容器８１には、給水タンク２が配置される。図７に示すように、タンク受け容器８１の底面には、給水タンク２の給水口２１ａに設けられた給水弁（図示省略）を押し上げて開弁するための押し込みピン８１ａが立設されている。そのため、タンク受け容器８１には、給水タンク２から流出した水が貯留される。給水タンク２内に水がある限り、タンク受け容器８１内の水面は所定の満水レベルに保たれるようになっている。
【００３２】
貯水容器８２には、仕切り壁８３に形成された連通孔（図示省略）を介してタンク受け容器８１から流出した水が貯留される。この貯水容器８２内の水が、後述する水汲み部７２ｂによって汲み上げられて加湿ロータ７の加湿フィルタ７１に供給される。
【００３３】
図５に示すように、加湿ロータ７は、貯水容器８２の上方に配置されて、貯水容器８２の上縁に設けられた支持柱８５に回転自在に支持されている。加湿ロータ７は、水を吸水して気化させる加湿フィルタ７１と、加湿フィルタ７１を両側から保持する枠部材７２とを有する。
【００３４】
枠部材７２の外周面には、加湿ロータ７の左上方に配置された歯車７３と噛合する複数の歯部７２ａが形成されている。歯車７３がモータにより回転することで、加湿ロータ７は回転駆動される。
【００３５】
また、枠部材７２の前面には、複数の水汲み部７２ｂが周方向に並んで設けられている。加湿ロータ７が回転することにより、複数の水汲み部７２ｂは順次貯水容器８２内に浸水して、浸水した状態から上昇していく際に貯水容器８２内の水を汲み上げる。そして、水汲み部７２ｂが最上位置に近付くにしたがって、水汲み部７２ｂ内の水が加湿フィルタ７１に掛けられる。
【００３６】
図６等に示すように、本体３は、送風機９が収容されると共に、加湿機１の背面と側面の一部を構成する本体フレーム４を有している。この本体フレーム４の右側部は、給水タンク２と貯水容器８２が配置される凹部４１が形成されている。また、本体フレーム４の左右側面には、加湿機１を運ぶ際に指を引っ掛けるための把持溝４２（図では右側のみ表示）が形成されている。右側の把持溝４２の下側には解除部材５が設けられている。
【００３７】
解除部材５は、後述する爪部２５の係止孔４３に対する係止状態を解除するためのものである。図７および図８に示すように、解除部材５は、前後方向に延在する筒状の回転軸５１によって、本体フレーム４に回転自在に支持されている。また、解除部材５の一端には、略矩形板状の操作部５２が設けられており、解除部材５の他端には、下向きに突出した押圧部５３が設けられている。操作部５２は、本体フレーム４の右側面とほぼ同一平面に配置される。また、操作部５２は、回転軸５１の上方に配置されている。そのため、操作部５２が押圧されると、解除部材５は回転軸５１を中心に反時計回りに回転する。
【００３８】
また、凹部４１の上面（給水タンク２の上面と対向する面）には、係止孔４３が形成されている。係止孔４３は、前後方向に細長い孔である。この係止孔４３には、給水タンク２の爪部２５と押圧部５３が挿入可能である。爪部２５は、この係止孔４３の周壁面のうち、回転軸５１側の面（以下、当接面４３ａという）に接触して係止される。当接面４３ａは、左右方向にほぼ直交している。
【００３９】
図７に示すように、給水タンク２は、タンク本体２１と、パネル２２と、爪部２５とを有している。なお、タンク本体２１は中空の容器であるが、図７〜図１０ではタンク本体２１の内部を全てハッチングで表示している。
【００４０】
図７に示すように、本体フレーム４の凹部４１に沿った形状に、タンク本体２１は形成されており、図２に示すように、タンク本体２１の上面はほぼ平坦状に形成されている。また、タンク本体２１の下端部には給水口２１ａが設けられている。給水口２１ａは、着脱可能な給水キャップで構成されており、給水キャップの内部には、押し込みピン８１ａによって開弁する給水弁（図示省略）が設けられている。
【００４１】
パネル２２は、加湿機１の右側面の一部を構成する側面部２３と、加湿機１の背面の一部を構成する背面部２４（図３参照）とからなる。側面部２３には、給水タンク２を着脱する際に指を引っ掛けるための把持溝２３ａと、給水タンク２の残水量を確認するために給水タンク２の一部を露出させる窓部２３ｂとが形成されている。
【００４２】
爪部２５は、給水タンク２の上端部に設けられており、給水タンク２が本体３に取り付けられたときに係止孔４３に係止される。爪部２５は、側面部２３と一体に形成されており、側面部２３の裏面から突出している。爪部２５およびパネル２２は、弾性を有する合成樹脂で形成されている。
【００４３】
給水タンク２が本体３に取り付けられた状態において、爪部２５は、側面部２３の裏面から右方に延びて、先端部が上方に突出している。また、爪部２５が係止孔４３の当接面４３ａと接触する面を、当接面２５ａとする。給水タンク２が本体３に取り付けられた状態において、当接面２５ａは、当接面４３ａと同じく、左右方向に直交している。
【００４４】
給水タンク２を本体３から取り外す場合には、まず、図９に示すように、解除部材５の操作部５２を押圧して、解除部材５を回転させる。これにより、解除部材５の押圧部５３によって爪部２５は下方に押圧されて、係止孔４３に対する爪部２５の係止状態が解除される。そして、操作部５２を押圧した状態のまま、給水タンク２の上端部を下端部に対して加湿機１の外側（右側）に回転させる。図１０に示すように、給水タンク２の回転に伴って、爪部２５が移動して凹部４１の上面に当接する。爪部２５が押圧部５３と接触しない位置まで移動した後は、操作部５２を押圧しなくてもよい。その後さらに給水タンク２を図３に示す状態まで回転させた後、給水タンク２をタンク受け容器８１から引き抜く。
【００４５】
また、給水タンク２を本体３に取り付ける場合には、給水タンク２をタンク受け容器８１内に斜めに挿入して、給水タンク２の上端部を下端部に対して加湿機１の内側に回転させる（図３参照）。爪部２５は、凹部４１の上面に当接しながら移動した後（図１０参照）、係止孔４３に挿入されて係止される（図８参照）。
【００４６】
本実施形態では、爪部２５と解除部材５とが別部材であって、爪部２５が給水タンク２に、解除部材５が本体３に設けられているため、給水タンク２が収容される空間（凹部４１内）に解除部材５を配置する必要がない。したがって、タンク本体２１に解除部材を収容するための凹部（図１１の凹部９６ａ参照）を設けなくてよいため、爪部と解除部材が一体化されて給水タンクに設けられている場合に比べて、給水タンク２の容量を増大させることができる。
【００４７】
また、解除部材５は、本体３の給水タンクが収容される空間に配置されるため、破損のリスクが少ない。
また、爪部２５と解除部材２５とが別体であるため、爪部２５を係止状態で維持するためのバネ部材が不要となるため、給水タンクを本体３から取り外した状態において、バネ部材が脱落して破損するのを防止できる。
【００４８】
また、本実施形態では、解除部材５は、一端（操作部５２）が操作されることで解除部材５が回転して、他端（押圧部５３）が係止孔４３に係止された爪部２５を押圧して係止状態を解除するようになっている。そのため、解除部材５の構成が簡易であり、低コストで作製できる。
【００４９】
また、本実施形態の給水タンク２は、上端部に設けられた爪部２５と下端部に設けられた給水口２１ａとによって本体３に取り付けられるため、安定的に給水タンク２を取り付けることができる。
【００５０】
また、本実施形態では、爪部２５と係止孔４３の接触する面２５ａ、４３ａが、左右方向に直交している。言い換えると、給水タンク２の取り外し方向（図３中の矢印方向）に対して直交している。そのため、爪部２５と係止孔４３とを強固に係止することができ、給水タンク２が誤って取り外されるのを防止できる。
【００５１】
また、本実施形態では、パネル２２と爪部２５とが一体に形成されており、爪部２５とパネル２２との間で位置ずれが生じないため、給水タンク２のパネル２２と本体３の外郭部分との間で位置ずれが生じにくい。
【００５２】
また、本実施形態では、操作部５２が給水タンク２の上方に配置されており、この操作部５２を押圧することで爪部２５と係止孔４３との係止状態が解除されるため、係止状態を解除する動作と、給水タンク２を回転させて本体３から取り外す動作を連続して行いやすい。
【００５３】
以上、本発明の実施の形態について説明したが、本発明の具体的な構成は、上記実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。
【００５４】
上記実施形態では、爪部２５と係止孔４３の接触する面２５ａ、４３ａがともに、給水タンク２の取り外し方向（図３中の矢印方向）に直交しているが、この構成に限定されない。例えば、面２５ａ、４３ａの一方だけが、給水タンク２の取り外し方向に対して直交していてもよい。また例えば、面２５ａ、４３ａの一方または両方が、下に向かうほど加湿機１の右側面に近付くように傾斜していてもよい。
【００５５】
上記実施形態では、爪部２５が係止される係止部は、孔４３で構成されているが、係止部は、爪部２５が係止される部分（上記実施形態では当接面４３ａ）を有してさえいれば、孔でなくてもよい。
【００５６】
上記実施形態では、解除部材５は、本体３に回転自在に支持され、その一端が操作されることにより他端が爪部２５を押圧して係止状態を解除するようになっているが、解除部材５は、係止孔４３に対する爪部２５の係止状態を解除するものであれば、上記実施形態の構成に限定されない。
【００５７】
上記実施形態では、爪部２５は、パネル２２に一体に形成されているが、爪部２５は、パネル２２にネジ等で接続されていてもよい。また、爪部２５は、タンク本体２１に一体に形成されていてもよく、タンク本体２１にネジ等で接続されていてもよい。
【００５８】
爪部２５が、パネル２２に設けられてない場合、給水タンク２は、パネル２２を有していなくてもよい。例えば、タンク本体２１が外部に露出するようになっていてもよい。また例えば、給水タンク２を本体３に取り付けた後で、給水タンク２とは別体のパネルを取り付けるようになっていてもよい。
【００５９】
上記実施形態では、爪部２５は、給水タンク２の上端部に設けられており、解除部材５によって下方に押圧されるが、この構成に限定されない。例えば、爪部は、給水タンク２の図１中の前側または後側に設けられ、解除部材によって後方または前方に押圧されるようになっていてもよい。なお、給水タンク２の前側に爪部を設ける場合には、吸込口３ａの位置または形状を解除部材５を避けるように変更する。
【００６０】
上記実施形態では、給水タンク２は、本体３の右側部に配置されており、給水タンク２の上端部を右方に傾けることで本体３から取り外されるようになっているが、給水タンク２の配置位置および取り外し方向はこれに限定されない。給水タンクが本体３の左面部に配置され、給水タンクの上端部を左方に傾けることで本体３から取り外されるようになっていてもよい。また、給水タンクが本体３の背面部に配置され、給水タンクの上端部を後方に傾けることで本体３から取り外されるようになっていてもよい。また、給水タンクが本体３の前面部に配置され、給水タンクの上端部を前方に傾けることで本体３から取り外されるようになっていてもよい。
【００６１】
上記実施形態では、給水タンク２は、本体３に取り付けられた状態から上端部を回転させることで本体３から取り外されるようになっているが、給水タンク２の本体３に対する着脱構造はこれに限定されない。例えば、給水タンクを鉛直上方に持ち上げることで、本体３から給水タンクが取り外されるようになっていてもよい。この場合、爪部は、給水タンクの上部、下部、左右側部のいずれに設けられていてもよい。
【産業上の利用可能性】
【００６２】
本発明を利用すれば、給水タンクの容量を増大させることができる。
【符号の説明】
【００６３】
１  加湿機
２  給水タンク
３  本体（加湿機本体）
５  解除部材
２１  タンク本体
２２  パネル
２５  爪部
４３  係止孔（係止部）
【図１】
2013096585.tif 000003
【図２】
2013096585.tif 000004
【図３】
2013096585.tif 000005
【図４】
2013096585.tif 000006
【図５】
2013096585.tif 000007
【図６】
2013096585.tif 000008
【図７】
2013096585.tif 000009
【図８】
2013096585.tif 000010
【図９】
2013096585.tif 000011
【図１０】
2013096585.tif 000012
【図１１】
2013096585.tif 000013